(57)【要約】【課題】従来の照明装置では、画像表示部に表示される画像の特定の対象物を除く背景の画素の平均色度に対して、照明の光源を制御しているのみで、対象物に対する照明の光源の制御が行われておらず、対象物に対する臨場感は得られないという問題がある。【解決手段】画像表示部１６に表示される画像より対象物を特定する対象物特定部２１と、対象物特定部２１により特定された対象物の変化を解析する対象物変化解析部２２と、画像の観賞環境を照明する光源部２４と、対象物変化解析部２２にて解析された対象物の変化に連動して光源部２４を制御する照明制御部２３を設けて構成した。これにより、画像表示部１６に表示される画像内の対象物の変化に連動して、観賞環境を照明する照明状態を変化させることができ、画像の観賞者に臨場感を与えることができる。【選択図】図１
2009064594.tif 000002
【特許請求の範囲】
【請求項１】
画像表示部に表示される画像より対象物を特定する対象物特定手段と、
該対象物特定手段により特定された該対象物の変化を解析する対象物変化解析手段と、
前記画像の観賞環境を照明する照明手段と、
前記対象物変化解析手段にて解析された前記対象物の変化に連動して前記照明手段を制御する照明制御手段とを備えることを特徴とする照明装置。
【請求項２】
前記対象物特定手段は、前記画像をシーン毎に判別するシーン判別手段と、
該シーン判別手段により判別されたシーン毎の被写体画像の変化を解析する被写体変化解析手段からなり、該被写体変化解析手段の解析結果から前記対象物を特定することを特徴とする請求項１に記載の照明装置。
【請求項３】
前記画像表示部に表示される前記画像の観賞照明の要否を判定する要否判定手段を備えることを特徴とする請求項２に記載の照明装置。
【請求項４】
前記要否判定手段は、前記シーン判別手段により判別されたシーンをＣＭとして判別し、
前記照明制御手段は、前記シーンがＣＭである場合に前記照明手段を消灯させることを特徴とする請求項３に記載の照明装置。
【請求項５】
前記対象物変化解析手段は、前記対象物の変化として、前記対象物の動きまたは、前記対象物の色、前記画像の背景の色のうち少なくとも一つを解析することを特徴とする請求項１から４のいずれか１項に記載の照明装置。
【請求項６】
前記対象物変化解析手段は、前記対象物の変化を画素値変化として解析することを特徴とする請求項１から５のいずれか１項に記載の照明装置。
【請求項７】
前記照明制御手段は、前記対象物の変化に連動して前記照明手段の明るさ、光色、配光、方向等を制御することを特徴とする請求項１から６のいずれか１項に記載の照明装置。
【請求項８】
前記照明手段は点光源からなることを特徴とする請求項１から７のいずれか１項に記載の照明装置。
【請求項９】
前記照明手段は、手動または自動で照射角度自在に調整可能としたことを特徴とする請求項１から８のいずれか１項に記載の照明装置。
【請求項１０】
請求項１から９のいずれか１項に記載の照明装置を一体または別体として設けられること特徴とする画像表示装置。
【請求項１１】
画像表示部に表示される画像より対象物を特定する対象物特定ステップと、
該対象物特定ステップにより特定された該対象物の変化を解析する対象物変化解析ステップと、該対象物変化解析ステップにて解析された前記対象物の変化に連動して該画像を観賞する観賞環境を照明する照明を制御する照明制御ステップからなる照明方法。
【発明の詳細な説明】
【技術分野】
【０００１】
本発明は、画像表示部に表示される画像と連動して画像を観賞する観賞環境の照明を制御する照明装置、それを備えてなる画像表示装置及び照明方法に関する。
【背景技術】
【０００２】
従来、画像表示装置の大型化や高精細化により、家庭においても迫力のある画像を楽しむことができる家庭用ホームシアターが普及しつつあり、該家庭用ホームシアターの家庭内でのホームシアター環境においては、該家庭用ホームシアターを形成する部屋の照明を暗くし、ＴＶやプロジェクタといった画像表示装置により映し出された画像を観賞することで、観賞者に映画館のような臨場感を醸し出している。
さらに、観賞者に臨場感を与えるために、その画像に合わせて画像表示装置の周囲の照明を変化させる照明制御方法も提案されている。（例えば、特許文献１）
特許文献１に記載の照明制御方法では、画像表示部に表示される画像に連動して、画像を観賞する観賞者が存在する観賞空間の照明の明るさ、光色、配光、及び方向といったパラメータを、画像から仮想される仮想画像空間に対応するパラメータに一致するように、光源を制御することで臨場感を得ている。
【特許文献１】特開２０００−１７３７８３号公報
【発明の開示】
【発明が解決しようとする課題】
【０００３】
前記特許文献１に記載の照明制御方法では、画像表示部に表示される画像の特定の対象物（主対象物）を除く背景の画素の平均色度に対して、照明の光源を制御しているのみで、該対象物に対する照明の光源の制御が行われておらず、該対象物に対する臨場感は得られないという問題がある。
本発明は、前記問題に鑑みてなされたもので、画像表示装置（画像表示部）に表示される画像内の特定の対象物（対象画像）の変化に連動して、観賞環境を照明する照明光の明るさ、光色、配光、方向等を制御することにより観賞者に臨場感を与えることができる照明装置、それを備えてなる画像表示装置及び照明方法を提供することを目的とする。
【課題を解決するための手段】
【０００４】
前記課題を解決するための本発明の第１の態様は、画像表示部に表示される画像より対象物を特定する対象物特定手段と、該対象物特定手段により特定された該対象物の変化を解析する対象物変化解析手段と、前記画像の観賞環境を照明する照明手段と、前記対象物変化解析手段にて解析された前記対象物の変化に連動して前記照明手段を制御する照明制御手段とを備えることを特徴としたものである。
【０００５】
また、本発明の第２の態様は、第１の態様において、前記対象物特定手段は、前記画像をシーン毎に判別するシーン判別手段と、該シーン判別手段により判別されたシーン毎の被写体（被写体画像）の変化を解析する被写体変化解析手段からなり、該被写体変化解析手段の解析結果から前記対象物を特定することを特徴としたものである。
【０００６】
そして、本発明の第３の態様は、第２の態様において、前記画像表示部に表示される前記画像の観賞照明の要否を判定する要否判定手段を備えることを特徴としたものである。
【０００７】
そしてまた、本発明の第４の態様は、第３の態様において、前記要否判定手段は、前記シーン判別手段により判別されたシーンをＣＭとして判別し、前記照明制御手段はシーンがＣＭである場合に前記照明手段を消灯させることを特徴としたものである。
【０００８】
さらに、本発明の第５の態様は、第１から第４のいずれかの態様において、前記対象物変化解析手段は、前記対象物の変化として、該対象物の動きまたは、該対象物の色、画像の背景の色のうち少なくとも１つを解析することを特徴としたものである。
【０００９】
さらにまた、本発明の第６の態様は、第１から第５のいずれかの態様において、前記対象物変化解析手段は、前記対象物の変化を画素値変化として解析することを特徴としたものである。
【００１０】
本発明の第７の態様は、第１から第６のいずれかの態様において、前記照明制御手段は、前記対象物の変化に連動して前記照明手段の明るさ、光色、配光、方向等を制御することを特徴としたものである。
【００１１】
また、本発明の第８の態様は、第１から第７のいずれかの態様において、前記照明手段は点光源からなることを特徴としたものである。
【００１２】
そして、本発明の第９の態様は、第１から第８のいずれかの態様において、前記照明手段は、手動または自動で照射角度自在に調整可能としたことを特徴としたものである。
【００１３】
そしてまた、本発明の第１０の態様は、第１から第９のいずれかの態様の前記照明装置と画像表示装置を一体または別体として設けられることを特徴としたものである。
【００１４】
さらに、本発明の第１１の態様は、画像表示部に表示される画像より対象物を特定する対象物特定ステップと、該対象物特定ステップにより特定された該対象物の変化を解析する対象物変化解析ステップと、該対象物変化解析ステップにて解析された前記対象物の変化に連動して該画像を観賞する観賞環境を照明する照明を制御する照明制御ステップからなることを特徴としたものである。
【発明の効果】
【００１５】
本発明によれば、画像表示部に表示される画像内の対象物の変化に連動して、観賞環境を照明する照明状態を変化させることができ、画像の観賞者に臨場感を与えることができる。
【発明を実施するための最良の形態】
【００１６】
（実施の形態１）
以下、本発明の照明装置の実施形態１を図１〜図７に基づいて説明する。
図１は、本発明の照明装置の実施形態１の基本構成を示すブロック図である。
図１において、ＴＶ（テレビジョン受像機）などの画像表示装置１には、有線や無線の放送網で送られてくる信号を受信し復調する信号受信復調部１１と、該信号受信復調部によって受信し復調された音声画像信号（コンポジット信号）を音声信号と画像信号に分離する信号分離部１２と、該信号分離部１２によって分離された音声信号を出力する音声出力部１３と、該音声出力部１３によって駆動され音声を放出するスピーカー１５と、同じく画像信号を出力する画像出力部１４と、該画像出力部１４によって駆動され画像が表示される画像表示部１６とが設けられている。
【００１７】
前記画像表示装置１は、ＴＶ以外のものとしては、投射型ディスプレイであるプロジェクタ、また、前記画像表示部１６としては、具体的には、自発光型ディスプレイであるＣＲＴ（Cathode  Ray  Tube）、ＥＬ（Electro-Luminescence）、ＰＤＰ（Plasma  Display  Panel）、ＦＥＤ（Field  Emission  Display）、ＬＥＤ（Light  Emitting Diode）、非自発光型ディスプレイであるＬＣＤ（Liquid  Crystal  Display）等である。
【００１８】
尚、図１において、前記スピーカー１５及び前記画像表示部１６は、画像表示装置１と一体としているが、もちろん別体であってもよい。特に、プロジェクタでの実施においては、画像が投射されることから、画像表示部１６は別体として形成される。
また、前記信号受信復調部１１が受信する信号は、有線や無線放送の信号に限られず、ＶＴＲ（Video Tape Recoder）やＤＶＤ（Digital Versatile Disc）、ＢＤ（Blu-ray Disc）、ＨＤＤＶＤ（High-Definition Digital Versatile Disc）プレイヤー等のメディアプレイヤーから出力される信号であってもよい。
【００１９】
次に、図１の照明装置２の構成について説明すると、該照明装置２には、前記画像表示部１６に表示される画像より対象物２１１を特定する対象物特定手段としての対象物特定部２１と、該対象物特定部２１により特定された対象物２１１の変化を解析する対象物変化解析手段としての対象物変化解析部２２と、該対象物変化解析部２２にて解析された前記対象物２１１の変化に連動して前記画像の観賞環境を照明する照明手段としての光源部２４を制御する照明制御手段としての照明制御部２３とからなる。
【００２０】
尚、前記光源部２４は、ＬＥＤのようなＲＧＢの三原色の光を発光する点光源で構成される。ただし、点光源とする構成であればよく、蛍光管などの線光源を長手方向から見て点光源とみなしてもよいし、前記ＬＥＤの構成に限られず、白色ＬＥＤや白色電球といった白色光源とカラーフィルタによって構成してもよい。
あるいはＬＤ、有機ＥＬ、無機ＥＬ、カラーランプ等を用いてもよい。さらに点光源の指向性を制御するために、導光部材や拡散部材、反射部材を用いた構成としてもよい。
【００２１】
また、前記照明装置２は、観賞環境（特に画像表示部１６の設けられた空間の床や壁、天井等）を照明するために前記画像表示部１６の周辺、又は画像表示装置１に一体として設けられる。
そして、前記画像表示装置１に一体とする構成の場合で、ＬＣＤが前記画像表示装置１の場合には、ＬＣＤに用いられているバックライトを光源部２４としてもよく、この場合にはＬＣＤのバックライトを共有することができ、構成部品の数を減らすことができる。
そしてまた、前記画像表示装置１の信号受信復調部１１によって受信復調された信号は、信号分離部１２によって音声信号と画像信号に分離され、前記画像信号は照明装置２に設けられた対象物特定部２１によって、画像内の対象物２１１が特定される。そして対象物特定部２１によって特定された該対象物２１１は、前記対象物変化解析部２２によってその変化が解析され、その変化に連動して照明制御部２３が、光源部２４を制御する。
【００２２】
また、図１はアナログ放送の場合を記載しているが、デジタル放送の場合には、音声や画像は符号化されているので、放送網で送られてくる符号化信号を元に戻すために、信号分離部１２と音声出力部１３の間に音声デコード部が、信号分離部１２と画像出力部１４の間に画像デコード部が設けられる。
【００２３】
次に、本発明の照明装置の実施形態１のより具体的な構成を図２にとともに説明する。
図２は、本発明の実施形態１のより具体的な構成を示すブロック図であり、図１の対象物特定部２１を、シーン判別部２１ｂと被写体変化解析部２１ａとで構成するとともに、対象物変化解析部２２を、動き解析部２２ａと色解析部２２ｂとで構成してなるものである。
【００２４】
前記構成において、シーンとは、画像の流れ上つながりのあるひとつの場面を言い、さらにシーンを構成する一画面分の画像をフレームと呼ぶ。
また、前記構成において、画像表示装置１の信号受信復調部１１によって受信された信号は、信号分離部１２によって音声信号と画像信号に分離され、該画像信号は、対象物特定部２１におけるシーン判別部２１ｂによってシーン毎に判別され、被写体変化解析部２１ａによって各シーンに含まれる被写体の変化が解析される。前記解析結果より、対象物２１１が特定される。
【００２５】
そして、前記対象物２１１を特定する方法として、画像表示画面に表示される画像内で、被写体の一番大きいもの、つまり画像内に占める面積が一番大きいものを選択することとする。被写体の一番大きいものは、そのシーンの中でも特に注目される対象であるから、その被写体の変化に連動して照明を変化させることで、観賞者に臨場感を与えることができる。
【００２６】
尚、前記対象物特定方法以外に、予め定めた画素値の大きさより大きいまたは小さい被写体のみを対象物とする方法、動きの早いまたは遅い被写体のみ対象物とする方法、予め定めた明度より高いまたは低い被写体のみを対象物とする方法や、構成に記憶部をさらに設けて予め記憶部に記憶させた所定の対象物を対象物とする方法、これら複数の方法を組み合わせた方法であってもよい。
また、被写体が複数存在し、前記対象物特定方法により対象物が複数特定される場合は、対象物を１つとして限らず複数としてもよい。
【００２７】
そして、前記対象物特定部２１によって特定された対象物２１１は、動き解析部２２ａによってシーン内での動きを解析され、色解析部２２ｂによってシーン内での色と背景の色を解析され、前記解析結果のうち少なくとも１つに基づいて、照明制御部２３が光源部２４における照明光の明るさ、光色、配光、方向等を制御する。
【００２８】
図３は、前記動き解析部２２ａについて説明するための図である。図３において、対象物２１１が動くシーンの中で時間方向に連続した複数の画像フレームで、二つの連続した画像フレームＦａおよびＦｂを図示している。二つの画像フレームＦａおよびＦｂに含まれる対象物２１１を含む画像ブロックの画素値変化から動きベクトルｖを求めることで変化を検出する。
【００２９】
具体的には、二つの連続したフレームのうち第一のフレームを過去の画像フレームＦａとし、二つの連続したフレームのうち第二のフレームを現在の画像フレームＦｂとする。現在の画像フレームＦｂの中で、Ｐは対象物２１１を含む単位画像ブロックを示し、Ｒｂは過去の画像フレームＦａの中で、対象物２１１を含む単位画像ブロックＲと同位置の画像ブロックを示し、過去のフレームＦａの中で、Ｐａは単位画像ブロックＰと同位置の画像ブロックを示している。
【００３０】
過去のフレームＦａにおいて、画像ブロックＰａを含む所定の範囲Ｔ内で、画像ブロックＰに対する画像ブロックＲとの誤差すなわち画素値の変化を差分絶対値和等で求め、順次計算していき、誤差の最も小さい参照する画像ブロックＲを探す。そのＲに対応する画像ブロックＲｂから画像ブロックＰへの画素位置のベクトル（ｘ、ｙ）を、Ｐの動きベクトルｖとする。
【００３１】
図４は、図３に示した動き検出処理の流れの一例を説明するためのフローチャートである。動き検出の方法としては、ブロックマッチングによるものがある。ブロックマッチングは、所定サイズの画像ブロック（例えば１６画素×１６画素）ごとに、該画像ブロック同士の一致度の高さを評価する方法であり、一致度の高さは該画像ブロック同士の画素値の誤差（例えば、各画素輝度値の差分絶対値和）により判定する。
【００３２】
具体的な手順を以下に示す。前記画像ブロックＰａを中心とする、上下左右±７画素の領域Ｔの範囲内で前記画像ブロックＲの位置を仮設定する（ステップＳ１）。前記画像ブロックＰと前記画像ブロックＲとの誤差値ＰＲを画素値間の差分絶対値和で算出する（ステップＳ２）。算出方法としては、他に、画素値の差の二乗和で算出する方法を用いてもよい。
【００３３】
ステップＳ１、Ｓ２の処理は、領域Ｔの範囲全体について、左上端から右下端まで１画素ずつずらした位置に対応する２２５個（＝１５×１５）の各画素ブロックＲに関して行い、それぞれ誤差値ＰＲを得る（ステップＳ３）。
以上求めた該誤差値ＰＲの中から、最も小さい値に対応する画像ブロック、すなわち最も一致度の高い画像ブロックを、画像ブロックＲとして特定する（ステップＳ４）。次いで、特定した該画像ブロックＲに対応する、現在のフレーム内の画像ブロックＲｂの位置から、前記画像ブロックＰまでの画素ベクトルの誤差値ＰＲ＝（ｘ、ｙ）を算出する（ステップＳ５）。最終的に、画像ブロックＰの動きベクトルｖはｖ＝（ｘ、ｙ）と決定する（ステップＳ６）。
【００３４】
前述のように前記画像ブロックＲを探索する際に、前記領域Ｔの範囲内において１画素ずつずらしながらブロックマッチングを行えば、確実に画像ブロックＲを求めることができるが、前記領域Ｔの範囲全体では２２５個のブロックに対してマッチング処理を実施することになり、これら全てに対して実施する処理量を削減するために、以下のような方法を用いてもよい。前述のステップＳ３において、さらに３つのステップに分ける。
【００３５】
最初のステップでは、前記領域Ｔの範囲内において前記画像ブロックＰａの中心から周囲±４画素の距離にある８ブロックおよび中心ブロックの計９ブロックに関してブロックマッチングを行う。
次のステップで、最初のステップで得られた最小誤差点を中心に、±２画素の距離にある８ブロックに関してブロックマッチングを行う。
最後のステップで、２番目のステップで得られた最小誤差点を中心に、±１画素距離にある８ブロックに関してブロックマッチングを行う。以上の方法でブロックマッチングする範囲を、最初は大きく設定し、その後徐々に狭めていくことによって、処理量を削減することができる。尚、前記ブロックマッチングを行う場合の領域Ｔの画素数は前記に限られない。
【００３６】
さらに、番組に応じて前記方法が選択されるようにしてもよく、観賞者が好みに応じて選択できるようにしてもよい。また、放送網によって送られてくる信号やメディア記録媒体自体に、予め対象物と背景を決定しておくような信号や情報、またはそれに連動して照明装置を制御するような信号や情報が含まれている場合にはそれに従う方法でもよい。
【００３７】
図５は、画像表示部１６に映し出された画像に連動して照明装置２が動作を行う一例である。対象物特定部２１によって車が対象物２１１として特定された場合であり、該対象物２１１の変化として車が画像表示部１６に向かって左から右へ動くシーンの中で、シーンの最初と最後とその中間の三つのフレームを示している。
図５Ａは、シーンの最初のフレームであり、車が前記画像表示部１６の画面の左下部に位置する場合、図５Ｂは、シーンの中間のフレームであり、車が前記画像表示部１６の画面の中央下部に位置する場合、図５Ｃは、シーンの最後のフレームであり、車が前記画像表示部１６の画面の右下部に位置する場合を示している。もちろん実際のシーンにおいては、図５に示す各フレーム間にも画像が自然となるようにフレームが存在してもよい。
【００３８】
図面には、画像表示部１６と、照明装置２に搭載されている光源部２４と、該画像表示部１６に向かって画面の上方、下方、左方、右方それぞれの照射範囲６ａ、６ｂ、６ｃおよび６ｄを記載している。
図５Ａの場合、前記対象物２１１が左下端に位置するため、照明範囲６ｂと６ｃにおける照明光の明るさ、配光のうち少なくとも１つの成分は、照明範囲６ａと６ｄのその成分に比べて大きくすることで、前記対象物２１１が左下端に位置することを強調し観賞者に臨場感を与えることができる。
尚、前記対象物２１１が左端にあることを強調するために右方の照射範囲６ｄは図示していないが、もちろん照射範囲としてもよいし、照射範囲６ｂと６ｃの間は照射されていないように図示しているが、これも照射範囲を分かりやすくするためで、照射範囲に含んでもよい。
【００３９】
また、前記対象物２１１が左右に長いため、照射範囲６ｂにおける照明光の明るさ、配光のうち少なくとも１つの成分は、照射範囲６ｃに比べて大きくてもよく、前記対象物２１１の大きさによって照射範囲における各成分の大きさは決められればよいので、この場合に限られず、以下の場合も同様である。
図５Ｂの場合、前記対象物２１１が中央下部に位置するため、照明範囲６ｂにおける照明光の明るさ、配光のうち少なくとも１つの成分は、照明範囲６ａ、６ｃや６ｄのその成分に比べて大きい。
図５Ｃの場合、前記対象物２１１が右下端に位置するため、照明範囲６ｂと６ｄにおける照明光の明るさ、配光のうち少なくとも１つの成分は、照明範囲６ａと６ｃのその成分に比べて大きい。
尚、前記対象物２１１が右端にあることを強調するために６ｃは図示していないが、もちろん照射範囲としてもよい、照射範囲６ｂと６ｄの間は照射されていないように図示しているが、これも照射範囲を分かりやすくするためで、照射範囲に含んでもよい。
【００４０】
また、図５のそれぞれにおいて、照射範囲６ａから６ｄに関与しない光源部２４は全て消灯または非常に明るさの小さい照明を行う。この場合関与しない該光源部２４は関与する光源部２４に比べて、消費電力を抑えられるので、省エネ効果を得ることができる。
さらに、逆に前記対象物２１１に対する前記照射範囲６ａから６ｄは照明を行わず、それら以外の範囲を照射するように照明を制御すれば、前記対象物２１１が沈み込んだ印象を観賞者に与えることができる。
【００４１】
そして、色解析部２２ｂにおいて対象物２１１の色解析を行う場合には、前記対象物２１１である車の平均色度を解析する。照明制御部２３は、前記解析結果に応じて、光源部２４の照射範囲６ａから６ｄにおける照明光の光色を前記対象物２１１の平均色度に合わせるように制御を行う。
尚、照明光の光色は車の平均色度に限られず、色度図上で色相や彩度がほぼ同じであってもよい。また、照射範囲６ａから６ｄの範囲外で、背景の平均色度に合わせて照明を行ってもよい。例えば、対象物２１１である車が赤色であり背景が緑色である場合、照射範囲６ａから６ｄにおける照明の色を赤色とし、それら照射範囲以外の照明の色を緑色とする。
【００４２】
以上の図５に示すように、前記対象物２１１が左右に動く画像に合わせて各光源部２４を点灯または消灯させることによって、照明光を変化させることで観賞者に臨場感を与えることができる。
尚、図５の構成では前記画像表示部１６の上端と下端のそれぞれに各点光源を１４個、左端と右端のそれぞれに各点光源を１０個直接設けた構成をとっているが、配置や個数に関してはこれに限られず、前記効果が得られるような構成であれば、前記画像表示部１６から離れたところに設けてもよいし、点光源の数も前記に限られない。
【００４３】
さらに、図５のそれぞれにおいては長方形に収めているが、照明範囲６ａから６ｄはこれに限られず、さらに広いもしくは狭い範囲を照射してもよいし、照射範囲の境界面は直線ではなく曲線であってもよい。
【００４４】
図６は、画像表示部１６に映し出された画像に連動して照明装置２が動作を行う一例である。対象物特定部２１によってロケットが対象物２１１として解析された場合であり、該対象物２１１の変化としてロケットが前記画像表示部１６に向かって下から上へ動くシーンの中で、シーンの最初と最後とその中間の三つのフレームを示している。
【００４５】
図６Ａは、シーンの最初のフレームであり、ロケットが前記画像表示部１６の画面の中央下端に位置する場合、図６Ｂは、シーンの中間のフレームであり、ロケットが前記画像表示部１６の画面の中央下部に位置する場合、図６Ｃは、シーンの最後のフレームであり、ロケットが前記画像表示部１６の画面の中央上部に位置する場合を示している。もちろん実際のシーンにおいては、図６に示す各フレーム間にも画像が自然となるようにフレームが存在してもよい。構成としては、図５と同様である。
【００４６】
図６Ａの場合、前記対象物２１１が中央下端に位置するため、照明範囲６ｂにおける照明の明るさ、配光のうち少なくとも１つの成分は、照明範囲６ａ、６ｃや６ｄのその成分に比べて大きくすることで、前記対象物２１１が中央下端に位置することを強調し観賞者に臨場感を与えることができる。尚、前記対象物２１１が中央下端にあることを強調するために６ａは図示していないが、もちろん照射範囲としてもよい。
【００４７】
図６Ｂの場合、前記対象物２１１が中央下部に位置するため、照明範囲６ｂにおける照明光の明るさ、配光のうち少なくとも１つの成分は、照明範囲６ａ、６ｃや６ｄのその成分に比べて大きい。
【００４８】
図６Ｃの場合、前記対象物２１１が中央上部に位置するため、照明範囲６ａにおける照明光の明るさ、配光のうち少なくとも１つの成分は、照明範囲６ｂ、６ｃや６ｄのその成分に比べて大きい。さらに、前記対象物２１１が中央上部端にあることを強調するために６ｂは図示していないが、もちろん照射範囲としてもよい。
【００４９】
図５の場合と同様に、照射範囲６ａから６ｄに関与しない光源部２４は全て消灯または非常に明るさの小さい照明を行うと、関与しない該光源部２４は関与する光源部２４に比べて、消費電力を抑えているので、省エネ効果を得ることができる。
【００５０】
また、逆に前記対象物２１１に対する前記照射範囲６ａから６ｄは照明を行わず、それら以外の範囲を照射するように照明を制御すれば、前記対象物２１１が沈み込んだ印象を観賞者に与えることができる。
【００５１】
さらに、図５の場合と同様に、色解析部２２ｂにおいて色解析を行う場合には、前記対象物２１１であるロケットの平均色度を解析する。照明制御部２３は、前記解析結果に応じて、光源部２４の照射範囲６ａから６ｄにおける照明光の光色を前記対象物２１１の平均色度に合わせるように制御を行う。
尚、照明光の光色は、前記対象物２１１であるロケットの平均色度に限られず、色度図上で色相や彩度がほぼ同じであってもよい。また、照射範囲６ａから６ｄの範囲外で、背景の平均色度に合わせて照明を行ってもよい。さらに、配置や個数に関してはこれに限られず、前記効果が得られるような構成であれば、画像表示部１６から離れたところに設けてもよいし、点光源の数も限られない。
【００５２】
さらに、各図は長方形に収めているが、照明範囲６ａから６ｄはこれに限られず、さらに広いもしくは狭い範囲を照射してもよいし、照射範囲の境界面は直線ではなく曲線であってもよい。
【００５３】
以上の図６に示すように、前記対象物２１１が上下に動く画像に合わせて各光源部２４を点灯または消灯させることによって、照明光を変化させることで観賞者に臨場感を与えることができる。
【００５４】
図７は、画像表示部１６に映し出された画像に連動して照明装置２が動作を行う一例である。対象物特定部２１によって車が対象物２１１として解析された場合であり、前記対象物２１１の変化として車が前記画像表示部１６に向かって奥から手前にズームアップするように動くシーンの中で、シーンの最初と最後とその中間の三つのフレームを示している。
【００５５】
図７Ａは、シーンの最初のフレームであり、車が前記画像表示部１６の画面の中央に位置する場合、図７Ｂは、シーンの中間のフレームであり、車が前記画像表示部１６の画面の中央に位置し、図７Ａに比べてやや大きくなる場合、図７Ｃは、シーンの最後のフレームであり、車が前記画像表示部１６の画面の中央に位置し、図７Ｂに比べてやや大きくなる場合を示している。もちろん実際のシーンにおいては、図７に示す各フレーム間にも画像が自然となるようにフレームが存在してもよい。構成としては、図５と同様である。
【００５６】
図７Ａの場合、前記対象物２１１が中央に位置するため、全ての照明範囲６ａから６ｄにおける照明の明るさ、配光のうち少なくとも１つの成分は、同じである。また、前記対象物２１１が左右に長いため、照射範囲６ａ、６ｂにおける照明の明るさ、配光のうち少なくとも１つの成分は、照射範囲６ｃ、６ｄに比べて大きくてもよく、前記対象物２１１の大きさによって照射範囲における各成分の大きさは決められればよいので、この場合に限られず、以下の場合も同様である。
【００５７】
図７Ｂの場合、前記対象物２１１が中央に位置し図７Ａに比べて前記対象物２１１は大きいため、全ての照明範囲６ａから６ｄにおける照明の明るさ、配光のうち少なくとも１つの成分は、図７Ａに比べて大きい。
【００５８】
図７Ｃの場合、シーンの最後のフレームであり、前記対象物２１１が中央に位置し図７Ｂに比べて前記対象物２１１は大きいため、全ての照明範囲６ａから６ｄにおける照明の明るさ、配光のうち少なくとも１つの成分は、図７Ｂに比べて大きい。
【００５９】
図５の場合と同様に、照射範囲６ａから６ｄに関与しない光源部２４は全て消灯または非常に明るさの小さい照明を行うと、関与しない該光源部２４は関与する光源部２４に比べて、消費電力を抑えているので、省エネ効果を得ることができる。
【００６０】
また、逆に前記対象物２１１に対する前記照射範囲６ａから６ｄは照明を行わず、それら以外の範囲を照射するように照明を制御すれば、前記対象物２１１が沈み込んだ印象を観賞者に与えることができる。
【００６１】
さらに、図５の場合と同様に、色解析部２２ｂにおいて色解析を行う場合には、前記対象物２１１である車の平均色度を解析する。照明制御部２３は、前記解析結果に応じて、光源部２４の照射範囲６ａから６ｄにおける照明光の光色を前記対象物２１１の平均色度に合わせるように制御を行う。照明光の光色は、前記対象物２１１である車の平均色度に限られず、色度図上で色相や彩度がほぼ同じであってもよい。また、照射範囲６ａから６ｄ以外の範囲で、背景の平均色度に合わせて照明を行ってもよい。
【００６２】
さらに、配置や個数に関してはこれに限られず、前記効果が得られるような構成であれば、前記画像表示部１６から離れたところに設けてもよいし、点光源の数も限られない。さらに、各図は長方形に収めているが、照明範囲６ａから６ｄはこれに限られず、さらに広いもしくは狭い範囲を照射してもよいし、照射範囲の境界面は直線ではなく曲線であってもよい。
【００６３】
以上の図７に示すように、前記対象物２１１がズームアップする画像に合わせて各光源部２４を点灯または消灯させることによって、照明光を変化させることで観賞者に臨場感を与えることができる。
【００６４】
図５、図６および図７で対象物２１１が画像表示部１６に対して左右、上下、奥行きに動く画像について説明したが、これらの動きに限られず、前記動きの組み合わせでもよい。例えば該対象物２１１が画像表示部１６に向かって左下端から右上端へ斜めに小さくなるように動く画像についても照明を制御することができ、照明光を変化させることで観賞者に臨場感を与えることができる。
【００６５】
次に、以下、図２と図５より本発明の照明装置の実施形態１の動作について説明する。
図２の画像表示装置１では、有線や無線の放送網で送られてくる信号は、信号受信復調部１１にて受信復調され、該信号受信復調部１１にて受信復調された音声画像信号は信号分離部１２にて音声信号と画像信号に分離され、該信号分離部１２にて分離された音声信号は、音声出力部１３に印加されて該音声出力部１３にてスピーカー１５が駆動され、該スピーカー１５から音声が放出される。
【００６６】
また、前記信号分離部１２にて分離された画像信号は、画像出力部１４に印加されて該画像出力部１４にて画像表示部１６が駆動され、該画像表示部１６にて画像が表示される。
そして、照明装置２では、前記信号分離部１２にて分離された画像信号は、シーン判別部２１ｂにてシーン毎に判別される。これらシーンのうちの１つを図５の車が前記画像表示部１６に向かって左から右へ動く場合とすると、被写体である車は、被写体変化解析部２１ａにて変化を解析され、対象物２１１として特定される。
【００６７】
そしてまた、動き解析部２２ａにて、前記対象物２１１として特定された車の左から右への動きを解析される。さらに、色解析部２２ｂにて、車の色と背景の色が解析される。
【００６８】
さらに、照明制御部２３にて、前記対象物２１１の動きの解析結果に基づいて、図５の各フレームにおける車の変化に対応した光源部２４における照明光の明るさ、配光、方向等を制御され、前記対象物２１１の色と背景の色の解析結果に基づいて、図５の各フレームにおける車の位置に対応した光源部２４における照明光の光色等を制御され、照明範囲６ａ〜６ｄを照明される。
【００６９】
また、図６及び図７の構成における動作としては、前述の図５の動作と同様であり、図６では対象物２１１が画像表示部１６に向かって下から上へ、図７では対象物２１１が画像表示部１６に向かって奥から手前への動きが異なるのみで、動き解析部２２ａの解析結果が異なるだけである。
以上の動作から、画像表示部１６に表示される画像内の対象物２１１の変化に連動して、観賞環境を照明する照明状態を変化させることができ、画像の観賞者に臨場感を与えることができる。
【００７０】
（実施の形態２）
以下、本発明の照明装置の実施形態２を図８と図９に基づいて説明する。
本発明の実施形態２では、画像表示部１６に表示される画像の観賞照明の要否を判定する要否判定手段を照明装置２に備えた構成としたものである。
【００７１】
図８は、本発明の実施形態２の基本構成を示すブロック図である。図２に記載の画像表示装置１と照明装置２に加えて、該照明装置２に要否判定手段としてのＣＭ判別部２５をさらに備えており、該ＣＭ判別部２５にはさらにシーン間隔計測部２５ａ、シーン間隔記憶部２５ｂおよびシーン間隔比較部２５ｃを備えていてもよい。
【００７２】
図８においては、特にアナログ放送から信号を受信した場合を示しており、以下、本発明の照明装置の実施形態２の動作について説明する。
図８の画像表示装置１では、有線や無線のアナログ放送網で送られてくる信号は、信号受信復調部１１にて受信復調され、該信号受信復調部１１にて受信復調された音声画像信号は信号分離部１２にて音声信号と画像信号に分離され、該信号分離部１２にて分離された音声信号は、音声出力部１３に印加されて該音声出力部１３にてスピーカー１５が駆動され、該スピーカー１５から音声が放出される。
【００７３】
また、前記信号分離部１２にて分離された画像信号は、画像出力部１４に印加されて該画像出力部１４にて画像表示部１６が駆動され、該画像表示部１６にて画像が表示される。
そして、照明装置２では、前記信号分離部１２にて分離された画像信号は、シーン判別部２１ｂにてシーン毎に判別され、該シーンのタイミングをＣＭ判別部２５へ通知する。
【００７４】
そしてまた、シーン間隔計測部２５ａにて、シーン間隔が計測される。シーン間隔比較部２５ｃにて計測されたシーン間隔は、あらかじめシーン間隔記憶部２５ｂにて記憶された所定のシーン間隔と比較され、所定のシーン間隔より短ければＣＭ開始とし、その後の所定のシーン間隔より同等以上になればＣＭ終了と判断され、ＣＭ期間を示す通知情報（またはＣＭの開始と終了を示す通知情報）が出力される。
【００７５】
さらに、照明制御部２３では、ＣＭ期間を示す通知情報からＣＭ期間は光源部２４を消灯するように制御される。以上のようにアナログ放送において、画像表示部１６にＣＭが表示される場合に光源部２４を消灯することで、消費電力を抑えられ省エネ効果を得ることができる。
【００７６】
尚、アナログ放送においてＣＭを判別できる方法は前述に限られず、多重放送におけるステレオ音声をＣＭと判断する方法、画面が切り替わる場合に輝度レベルの２０％以上
の変化をＣＭと判断する方法などが挙げられ、これらのうち少なくとも一つの方法を用いて判別することができる。
【００７７】
図９は、本発明の第２の一実施例の別の構成図である。図２に記載の画像表示装置１と照明装置２に加えて、画像表示装置１に音声デコード部１７と画像デコード部１８を備え、照明装置２に要否判定手段としてのＣＭ判別部２５をさらに備えており、ＣＭ判別部２５にはさらに付属情報分離部２５ｄ、付属情報解析部２５ｅ、ＣＭ期間検出部２５ｆを備えていてもよい。
【００７８】
図９においては、特にデジタル放送から信号を受信した場合を示しており、以下、本発明の照明装置の実施形態２の他の動作について説明する。
【００７９】
図９の画像表示装置１では、有線や無線のデジタル放送網で送られてくる信号は、信号受信復調部１１にて受信復調され、該信号受信復調部１１にて受信復調された音声画像信号は信号分離部１２にて音声信号と画像信号に分離され、該信号分離部１２にて分離された音声信号は符号化されているため音声デコード部１７にて符号化が元に戻され、音声出力部１３に印加されて該音声出力部１３にてスピーカー１５が駆動され、該スピーカー１５から音声が放出される。
【００８０】
また、前記信号分離部１２にて分離された画像信号は符号化されているため画像デコード部１８にて符号化が元に戻され、画像出力部１４に印加されて該画像出力部１４にて画像表示部１６が駆動され、該画像表示部１６にて画像が表示される。
【００８１】
そして、照明装置２では、前記信号受信復調部１１にて受信復調された信号は多重化されており、付属情報分離部２５ｄによって番組やＣＭの属性を示す付属情報に分離される。
そしてまた、前記付属情報分離部２５ｄにて分離された付属情報は、付属情報解析部２５ｅにて解析され、ＣＭ付属情報の有無を判断される。該ＣＭ付属情報を有する場合には、ＣＭ期間検出部２５ｆにてＣＭを示す通知情報（またはＣＭの開始と終了を示す信号）が出力される。
【００８２】
さらに、照明制御部２３では、ＣＭ期間を示す通知情報からＣＭ期間は光源部２４を消灯するように制御される。以上のようにデジタル放送において、画像表示部１６にＣＭが表示される場合に光源部２４を消灯することで、消費電力を抑えられ省エネ効果を得ることができる。
また、ＣＭ期間でも照明を必要とする場合のために、ＣＭ期間は明るさを抑えた照明など、予め設定した態様の照明を行ってもよいし、ＣＭ期間に照明を行うかどうかのオン／オフ設定を設けてもよい。
【００８３】
尚、図８又は図９における要否判定手段として特にＣＭについて説明を行ったが、ＣＭのみならず映画などのエンドロールやスポーツにおける攻守交替や休憩など、画像表示部１６に表示される画像内容の途中に、照明するに相応しくない画像が表示される場合にも、同様に判別して、この画像が表示される期間に光源部２４を消灯、または明るさを抑えた照明を行ってもよい。
【００８４】
照明するに相応しくない場合として他にも、放送内容を選択する場合が挙げられる。例えば、リモコン等でチャンネルを変えている場合や電子番組表で番組を選択する場合は消灯し、チャンネルを決めた場合など、一定時間同じチャンネルである間は点灯する。
【００８５】
さらに、観賞者によっては全ての番組に照明を必要とはしないので、観賞者の好みに応じて照明が必要な番組や、照明が必要のない番組を予め設定できるようにしておき、これらの番組を判別して、必要のない番組については光源部２４を消灯、または明るさを抑えた照明を行ってもよい。
【００８６】
（実施の形態３）
次に、以下、本発明の照明装置の実施形態３を図１０に基づいて説明する。
本発明の実施形態３では、照明装置２がリモコン４にて照明方向を調整できる構成としたしたものである。
図１０は、照明装置２が画像表示部１６の上部に設置されている。該照明装置２は、画像表示部１６との結合部３と光源ユニット３５から構成されている。結合部３は、モーター３１と制御回路３２、赤外線受光ユニット３３から構成されており、モーター３１の回転を受けるモーター軸３４を介して光源ユニット３５が設けられ、リモコン４によって操作される。
【００８７】
以下、本発明の照明装置の実施形態３の動作について説明する。リモコン４で、該リモコン４に設けられた画像表示部１６の画面の大きさを示したボタン４６ａ〜４６ｆのうちいずれかを選択されると、該リモコン４から画像表示部１６の画面の大きさ情報を有する赤外線が照射される。
【００８８】
該赤外線は前記結合部３に備えられた前記赤外線受光ユニット３３にて受光され、該赤外線に含まれる前記画面の大きさ情報は制御回路３２にてモーター３１を回転するように制御され、制御されたモーター３１の回転を受けてモーター軸３４も回転され、モーター軸３４の回転を介して光源ユニット３５は回転され、前記画像表示部１６の画面の大きさに見合った最適な照明方向に回動される。
【００８９】
以上の動作から、画像表示部１６から離れて画像を観賞しながら、リモコン４で観賞者の好みに合わせて照明光の方向を調整することができる。
さらに、観賞者によって、リモコン４の微調整ボタン４６ｇ又は４６ｈが選択されると、光源ユニット３５を回転軸方向に微調整させることができる。
尚、リモコン４は画像表示部１６に表示される番組や該番組の音量を変えるリモコンと一体でもよいし、別体としてもよい。また、図１０でボタン４６ａ〜４６ｆに記載の画面の大きさは、これらに限定されるものではない。
【００９０】
また、図１０においては、照明装置２を画像表示部１６の上部に取り付ける記載を行ったが、画像表示部１６の左部、右部または下部など、画像表示部１６の周辺に取り付けてあっても構わない。また、画像表示部１６の背面部に取り付けてもよいが、この場合、赤外線受光ユニット３３は、観賞者からのリモコン４の操作で赤外線が届くよう別体に設ける。例えば画像表示装置１の赤外線受光ユニット等と一体にしてもよい。
また、図１０においては、結合部３にモーター３１を含む構成として説明したが、モーター３１を含まない構成として、リモコン４を用いずに手動で照明を調整してもよい。
さらに、図１０においては、照明装置２と画像表示部１６を別体として設ける説明を行ったが、一体とする構成でもよい。
本発明は、前記実施例に限定されるものではなく、本発明の要旨を逸脱しない範囲内で様々な変形や応用が可能である。
【図面の簡単な説明】
【００９１】
【図１】本発明の実施形態１の基本構成を示すブロック図である。
【図２】本発明の実施形態１の具体的な構成を示すブロック図である。
【図３】本発明の実施形態１の対象物の動き検出方法の概略図である。
【図４】本発明の実施形態１の対象物の動き検出方法のフローチャートである。
【図５】本発明の実施形態１の動作を説明する説明図である。
【図６】本発明の実施形態１の他の動作を説明する説明図である。
【図７】本発明の実施形態１のもう一つの動作を説明する説明図である。
【図８】本発明の実施形態２のアナログ放送で具体的な構成を示すブロック図である。
【図９】本発明の実施形態２のデジタル放送で具体的な構成を示すブロック図である。
【図１０】本発明の実施形態３の具体的な構成を示す概略図である。
【符号の説明】
【００９２】
１  画像表示装置
２  照明装置
３  結合部
４  リモコン
１１  信号受信復調部
１２  信号分離部
１３  音声出力部
１４  画像出力部
１５  スピーカー
１６  画像表示部
１７  音声デコード部
１８  画像デコード部
２１  対象物特定部
２１１  対象物
２１ａ  被写体変化解析部
２１ｂ  シーン判別部
２２  対象物変化解析部
２２ａ  動き解析部
２２ｂ  色解析部
２３  照明制御部
２４  光源部
２５  ＣＭ判別部
２５ａ  シーン間隔計測部
２５ｂ  シーン間隔記憶部
２５ｃ  シーン間隔比較部
２５ｄ  付属情報分離部
２５ｅ  付属情報解析部
２５ｆ  ＣＭ期間検出部
３１  モーター
３２  制御回路
３３  赤外線受光ユニット
３４  モーター軸
３５  光源ユニット
４６ａ、４６ｂ、４６ｃ、４６ｄ、４６ｅ、４６ｆ  ボタン
４６ｇ、４６ｈ  微調整ボタン
６ａ、６ｂ、６ｃ、６ｄ  照射範囲
【図１】
2009064594.tif 000003
【図２】
2009064594.tif 000004
【図３】
2009064594.tif 000005
【図４】
2009064594.tif 000006
【図５】
2009064594.tif 000007
【図６】
2009064594.tif 000008
【図７】
2009064594.tif 000009
【図８】
2009064594.tif 000010
【図９】
2009064594.tif 000011
【図１０】
2009064594.tif 000012